(57)【要約】【課題】エネルギ損失を低減させて、省エネ効率を向上させることができるエレベータシステムを提供する。【解決手段】実施の形態によるエレベータシステム１は、昇降路２内を昇降自在なかご３０と、昇降路２の上方に設けられた機械室３または昇降路２内に固定されたマシンビーム１２と、を備えている。マシンビーム１２に、かご３０を昇降させる昇降駆動部１０が取り付けられている。昇降駆動部１０とマシンビーム１２との間に、昇降駆動部１０から発生して伝達される振動によって発電する発電部材１３が介在されている。【選択図】図２
2014001036.tif 000002
【特許請求の範囲】
【請求項１】
昇降路内を昇降自在なかごと、
前記昇降路の上方に設けられた機械室または前記昇降路内に固定されたマシンビームと、
前記マシンビームに取り付けられ、前記かごを昇降させる昇降駆動部と、を備え、
前記昇降駆動部と前記マシンビームとの間に、前記昇降駆動部から発生して伝達される振動によって発電する発電部材が介在されていることを特徴とするエレベータシステム。
【請求項２】
前記昇降駆動部と前記発電部材との間に、防振部材が介在されていることを特徴とする請求項１に記載のエレベータシステム。
【請求項３】
前記発電部材に、蓄電装置を介して前記昇降駆動部が接続されていることを特徴とする請求項１または２に記載のエレベータシステム。
【請求項４】
前記発電部材と前記蓄電装置は、配線ダクト内に収容された配線によって接続されていることを特徴とする請求項３に記載のエレベータシステム。
【請求項５】
昇降路内を昇降自在なかごと、
前記かごを、ロープを介して昇降させる昇降駆動部と、
前記ロープの端部を固定するロープ固定部と、を備え、
少なくとも一方の前記ロープ固定部は、前記ロープの前記端部に連結された第１抑え板と、前記昇降路の上方に設けられた機械室または前記昇降路内に固定され、前記第１抑え板を支持する第２抑え板と、を有し、
前記第１抑え板と前記第２抑え板との間に、前記ロープから発生して伝達される振動によって発電する発電部材が介在されていることを特徴とするエレベータシステム。
【請求項６】
前記第１抑え板と前記発電部材との間に、防振部材が介在されていることを特徴とする請求項５に記載のエレベータシステム。
【請求項７】
前記発電部材に、蓄電装置を介して前記昇降駆動部が接続されていることを特徴とする請求項５または６に記載のエレベータシステム。
【請求項８】
前記発電部材と前記蓄電装置は、配線ダクト内に収容された配線によって接続されていることを特徴とする請求項７に記載のエレベータシステム。
【請求項９】
昇降路内を昇降自在なかごと、
前記かごを昇降させる昇降駆動部と、を備え、
前記かごは、かご本体と、前記かご本体を下方から支持するかご下枠と、を有し、
前記かご本体と前記かご下枠との間に、前記かご本体から発生して伝達される振動によって発電する発電部材が介在されていることを特徴とするエレベータシステム。
【請求項１０】
前記かご本体と前記発電部材との間に、防振部材が介在されていることを特徴とする請求項９に記載のエレベータシステム。
【請求項１１】
前記かごは、前記かご本体内に設けられた照明装置を有し、
前記発電部材に、蓄電装置を介して、前記照明装置が接続されていることを特徴とする請求項９または１０に記載のエレベータシステム。
【請求項１２】
前記かごは、前記かご下枠から上方に延び、前記かご本体を側方から支持するかご縦枠を有し、
前記発電部材と前記蓄電装置は、前記かご下枠および前記かご縦枠に沿って配置された配線によって接続されていることを特徴とする請求項１１に記載のエレベータシステム。
【発明の詳細な説明】
【技術分野】
【０００１】
本発明の実施の形態は、エレベータシステムに関する。
【背景技術】
【０００２】
従来より、エレベータのかごの質量と釣合錘の質量との関係により、かごが回生方向に走行した場合に発生する回生電力を蓄電して、かごの走行駆動に利用するエレベータシステムが確立されている。しかしながら、このようなエレベータシステムでは、かごの昇降に伴い発生する振動は、防振ゴムなどによって減衰または発散させている。このため、振動のエネルギが損失されており、省エネ化が不十分であるという問題がある。
【０００３】
また、釣合おもりを、バランス調整用おもりと動吸振器おもりとで構成し、バランス調整用おもりと動吸振器おもりとの間にアクチュエータを介在させているエレベータシステムが知られている（例えば、特許文献１参照）。このアクチュエータは、かごの昇降に伴い発生した振動のエネルギにより発生する回生電力を蓄電装置に蓄電するとともに、蓄電装置から供給された電力を振動エネルギに変換して振動し、動吸振器おもりを、かごの縦振動を吸収するように振動させている。
【先行技術文献】
【特許文献】
【０００４】
【特許文献１】特開２００９−６２１７９号公報
【発明の概要】
【発明が解決しようとする課題】
【０００５】
しかしながら、特許文献１に示すエレベータシステムでは、釣合おもりに発生する振動のエネルギだけが利用されている。このため、エレベータシステムにて発生する他の振動のエネルギの損失が依然として存在しており、省エネ化の余地が残されている。
【０００６】
本発明は、このような点を考慮してなされたものであり、エネルギ損失を低減させて、省エネ効率を向上させることができるエレベータシステムを提供することを目的とする。
【課題を解決するための手段】
【０００７】
実施の形態によれば、昇降路内を昇降自在なかごと、前記昇降路の上方に設けられた機械室または前記昇降路内に固定されたマシンビームと、前記マシンビームに取り付けられ、前記かごを昇降させる昇降駆動部と、を備え、前記昇降駆動部と前記マシンビームとの間に、前記昇降駆動部から発生して伝達される振動によって発電する発電部材が介在されていることを特徴とするエレベータシステムが提供される。
【０００８】
また、実施の形態によれば、昇降路内を昇降自在なかごと、前記かごを、ロープを介して昇降させる昇降駆動部と、前記ロープの端部を固定するロープ固定部と、を備え、少なくとも一方の前記ロープ固定部は、前記ロープの前記端部に連結された第１抑え板と、前記昇降路の上方に設けられた機械室または前記昇降路内に固定され、前記第１抑え板を支持する第２抑え板と、を有し、前記第１抑え板と前記第２抑え板との間に、前記ロープから発生して伝達される振動によって発電する発電部材が介在されていることを特徴とするエレベータシステムが提供される。
【０００９】
さらに、実施の形態によれば、昇降路内を昇降自在なかごと、前記かごを昇降させる昇降駆動部と、を備え、前記かごは、かご本体と、前記かご本体を下方から支持するかご下枠と、を有し、前記かご本体と前記かご下枠との間に、前記かご本体から発生して伝達される振動によって発電する発電部材が介在されていることを特徴とするエレベータシステムが提供される。
【図面の簡単な説明】
【００１０】
【図１】図１は、実施の形態におけるエレベータシステムの全体構成を示す図である。
【図２】図２は、実施の形態におけるエレベータシステムの機械室を示す斜視図である。
【図３】図３は、実施の形態におけるエレベータシステムのかごを示す図である。
【図４】図４は、図３のＡ部を拡大して示す図である。
【発明を実施するための形態】
【００１１】
図１乃至図４を用いて、本発明の実施の形態におけるエレベータシステムについて説明する。
【００１２】
図１に示すように、エレベータシステム１は、昇降路２内を昇降自在なかご３０と、ロープ５を介してかご３０を昇降させる巻上機（昇降駆動部）１０と、かご３０にロープ５を介して連結された釣合おもり６と、を備えている。このうち、かご３０は、ロープ５が巻き掛けられるかご側シーブ３４（後述）を有し、釣合おもり６は、ロープ５が巻き掛けられるおもり側シーブ７を有している。ロープ５は、巻上機１０のトラクションシーブ１１にも巻き掛けられている。このようにして、巻上機１０によりロープ５が巻き上げられて、昇降路２内においてかご３０および釣合おもり６が昇降するようになっている。
【００１３】
次に、図２を用いて、巻上機１０とマシンビーム１２との間に取り付けられた発電部材について説明する。
【００１４】
本実施の形態においては、巻上機１０は、昇降路２の上方に設けられた機械室３内に設置されている。具体的には、機械室３の機械室床４上に、マシンビーム１２が固定され、当該マシンビーム１２に、巻上機１０が取り付けられている。巻上機１０とマシンビーム１２との間に、巻上機１０から発生して伝達される振動によって発電する巻上機発電部材（発電部材）１３が介在されている。また、巻上機１０と巻上機発電部材１３との間に、巻上機防振部材（防振部材）１４が介在されている。なお、巻上機１０と巻上機防振部材１４との間には、トラクションシーブ１１（図１参照）が取り付けられたシーブビーム１５が介在されている。ここで、図２は、巻上機発電部材１３、巻上機防振部材１４、ヒッチ部発電部材２６、ヒッチ部防振部材２７を明瞭に示すために、これらの部材を分解図のようにして示している。
【００１５】
巻上機防振部材１４は、天然ゴム、合成ゴム、ウレタン等の弾性を有する高分子材料により形成されていることが好適である。このようにして、エレベータが稼働している間（すなわち、かご３０が昇降している間）、巻上機１０に発生する振動が、巻上機防振部材１４に伝達されて、巻上機防振部材１４が弾性変形することによって振動が部分的に吸収される。
【００１６】
巻上機発電部材１３は、圧電素子により構成されていることが好適である。すなわち、巻上機１０から伝達される振動は、巻上機防振部材１４によって部分的に吸収されるが、巻上機防振部材１４によって吸収されなかった振動が、巻上機発電部材１３に伝達される。そして、圧電素子により構成された巻上機発電部材１３は、伝達される振動エネルギを電気エネルギに変換して発電する。
【００１７】
機械室床４上には、巻上機１０を制御する制御装置４０と、制御装置４０に接続された駆動用蓄電装置（蓄電装置）４１と、が設けられている。このうち、駆動用蓄電装置４１は、エレベータを稼動するための電力を蓄電して、この蓄電された電力を、通常稼動時または停電時などに制御装置４０を介して巻上機１０に供給するためのものである。この駆動用蓄電装置４１に巻上機発電部材１３が接続されている。すなわち、巻上機発電部材１３は、駆動用蓄電装置４１および制御装置４０を介して巻上機１０に接続されている。このようにして、巻上機発電部材１３により発電された電力は、駆動用蓄電装置４１に蓄電され、通常稼動時または停電時などに、制御装置４０を介して巻上機１０に供給されるようになっている。
【００１８】
巻上機発電部材１３と駆動用蓄電装置４１は、配線ダクト４２内に収容された第１蓄電配線（配線）４３によって接続されている。すなわち、機械室床４上に、巻上機発電部材１３から駆動用蓄電装置４１に延びる配線ダクト４２が設けられており、巻上機発電部材１３と駆動用蓄電装置４１とを接続する第１蓄電配線４３が、当該配線ダクト４２内に収容されている。このことにより、点検時などで作業者が第１蓄電配線４３に足を引っ掛けることを防止でき、作業者の安全を確保することができる。なお、巻上機発電部材１３と配線ダクト４２との間で露出される第１蓄電配線４３の部分は、マシンビーム１２などの部材に沿って配置させることが好ましい。このことにより、作業者の安全をより一層確保することができる。また、配線ダクト４２は、巻上機１０の近傍にまで延びており、制御装置４０と巻上機１０は、配線ダクト４２内に収容された第１供給配線４５によって接続されている。
【００１９】
次に、図２を用いて、ロープ５の端部を固定するヒッチ部（ロープ固定部）２０に取り付けられた発電部材について説明する。
【００２０】
本実施の形態においては、図１および図２に示すように、機械室床４上に、ロープ５の端部を固定するヒッチ部２０が設けられている。ヒッチ部２０は、図２に示すように、ロープ５の端部に連結された上部抑え板（第１抑え板）２１と、上部抑え板２１を支持する下部抑え板（第２抑え板）２２と、を有している。より詳細には、ロープ５の端部に、シャックルロッド２３が固定され、シャックルロッド２３の外周に、コイルバネ２４が装着されている。このコイルバネ２４は、シャックルロッド２３に螺着された２つのナット２５と、上部抑え板２１との間で挟まれている。また、下部抑え板２２は、機械室床４に固定されている。
【００２１】
上部抑え板２１と下部抑え板２２との間には、ロープ５から発生して伝達される振動によって発電するヒッチ部発電部材（発電部材）２６が介在されている。また、上部抑え板２１とヒッチ部発電部材２６との間には、ヒッチ部防振部材（防振部材）２７が介在されている。なお、本実施の形態においては、図１に示すように、ロープ５の両端が、機械室床４上に設けられたヒッチ部２０にそれぞれ固定されているが、ヒッチ部発電部材２６は、このうちの一方のヒッチ部２０に取り付けられていてもよく、あるいは、両方のヒッチ部２０に取り付けられていてもよい。
【００２２】
ヒッチ部防振部材２７は、巻上機防振部材１４と同様に、天然ゴム、合成ゴム、ウレタン等の弾性を有する高分子材料により形成されていることが好適である。このようにして、エレベータが稼働している間、ロープ５に発生する振動が、コイルバネ２４およびヒッチ部防振部材２７に伝達されて、コイルバネ２４およびヒッチ部防振部材２７が弾性変形することによって振動が部分的に吸収される。
【００２３】
ヒッチ部発電部材２６は、圧電素子により構成されていることが好適である。すなわち、ロープ５から伝達される振動は、コイルバネ２４およびヒッチ部防振部材２７によって部分的に吸収されるが、コイルバネ２４およびヒッチ部防振部材２７によって吸収されなかった振動が、ヒッチ部発電部材２６に伝達される。そして、圧電素子により構成されたヒッチ部発電部材２６は、伝達される振動エネルギを電気エネルギに変換して発電する。
【００２４】
ヒッチ部発電部材２６は、上述した駆動用蓄電装置４１に接続されている。すなわち、ヒッチ部発電部材２６は、駆動用蓄電装置４１および制御装置４０を介して巻上機１０に接続されている。このようにして、ヒッチ部発電部材２６により発電された電力は、駆動用蓄電装置４１に蓄電され、通常稼動時または停電時などには、制御装置４０を介して巻上機１０に供給されるようになっている。
【００２５】
ヒッチ部発電部材２６と駆動用蓄電装置４１は、上述した配線ダクト４２内に収容された第２蓄電配線（配線）４４によって接続されている。すなわち、配線ダクト４２は、ヒッチ部発電部材２６の近傍にまで延びており、ヒッチ部発電部材２６と駆動用蓄電装置４１とを接続する第２蓄電配線４４が、当該配線ダクト４２内に収容されている。このことにより、点検時などで作業者が第２蓄電配線４４に足を引っ掛けることを防止でき、作業者の安全を確保することができる。なお、ヒッチ部発電部材２６と配線ダクト４２との間で露出される第２蓄電配線４４の部分は、下部抑え板２２などの部材に沿って配置させることが好ましい。このことにより、作業者の安全をより一層確保することができる。
【００２６】
次に、図３および図４を用いて、かご３０に取り付けられた発電部材について説明する。
【００２７】
図３に示すように、かご３０は、かご室を形成するかご本体３１と、かご本体３１のかご床３１ａを下方から支持するかご床受け枠（かご下枠）３２と、かご床受け枠３２から上方に延びてかご本体３１を側方から支持するかご縦枠３３と、を有している。このうち、かご床受け枠３２に、ロープ５が巻き掛けかけられるかご側シーブ３４（図１参照）が設けられている。また、かご本体３１内には、かご室を照らす照明装置４６が設けられている。
【００２８】
図４に示すように、かご本体３１とかご床受け枠３２との間に、かご本体３１から発生して伝達される振動によって発電するかご発電部材（発電部材）３５が介在されている。また、かご本体３１とかご発電部材３５との間に、かご防振部材（防振部材）３６が介在されている。ここで、図４は、かご発電部材３５、かご防振部材３６を明瞭に示すために、これらの部材を分解図のようにして示している。
【００２９】
かご防振部材３６は、巻上機防振部材１４と同様に、天然ゴム、合成ゴム、ウレタン等の弾性を有する高分子材料により形成されていることが好適である。このようにして、エレベータが稼働している間、かご本体３１に発生する振動が、かご防振部材３６に伝達されて、かご防振部材３６が弾性変形することによって振動が少なくとも部分的に吸収される。
【００３０】
かご発電部材３５は、圧電素子により構成されていることが好適である。すなわち、かご本体３１から伝達される振動は、かご防振部材３６によって部分的に吸収されるが、かご防振部材３６によって吸収されなかった振動が、かご発電部材３５に伝達される。そして、圧電素子により構成されたかご発電部材３５は、伝達される振動エネルギを電気エネルギに変換して発電する。
【００３１】
かご発電部材３５は、かご本体３１に設けられた照明用蓄電装置（蓄電装置）４６を介して、照明装置４６に接続されている。このうち照明用蓄電装置４７は、かご本体３１の上面に設けられており、照明装置４６を駆動するための電力を蓄電して、通常稼動時または停電時などに照明装置４６に供給するためのものである。このようにして、かご発電部材３５により発電された電力は、照明用蓄電装置４７に蓄電され、通常稼動時または停電時などに、照明装置４６に供給されるようになっている。
【００３２】
かご発電部材３５と照明用蓄電装置４７は、かご床受け枠３２およびかご縦枠３３に沿って配置された第３蓄電配線（配線）４８によって接続されている。このことにより、かご３０が昇降している間、昇降路２内に設置された他の機器などに配線が引っ掛かり、第３蓄電配線４８が断線することを防止できる。この場合、第３蓄電配線４８は、かご床受け枠３２の内側およびかご縦枠３３の内側に配置されていることが好ましい。このことにより、第３蓄電配線４８の断線をより一層防止できる。また、照明用蓄電装置４７と照明装置４６は、第２供給配線４９によって接続されている。
【００３３】
次に、このような形態からなる本実施の形態の作用について説明する。
【００３４】
乗場（図示せず）に停止しているかご３０を昇降させる場合、まず、図１および図２に示すように、制御装置４０からの指令を受けて巻上機１０がトラクションシーブ１１を回転駆動する。このことにより、かご側シーブ３４を介してかご３０が昇降するとともに、おもり側シーブ７を介して釣合おもり６が昇降する。かご３０および釣合おもり６が昇降している間、巻上機１０、ロープ５、かご３０のかご本体３１に振動が発生する。
【００３５】
巻上機１０に発生した振動は、図２に示すように、巻上機防振部材１４に伝達されて、部分的に巻上機防振部材１４に吸収される。そして、巻上機防振部材１４によって吸収されなかった振動は、巻上機発電部材１３に伝達され、巻上機発電部材１３によって振動エネルギが電気エネルギに変換される。このようにして、巻上機発電部材１３は巻上機１０の振動によって発電する。発電により得られた電力は、駆動用蓄電装置４１に蓄電される。
【００３６】
同様に、ロープ５に発生した振動は、コイルバネ２４およびヒッチ部防振部材２７に伝達されて、部分的にコイルバネ２４およびヒッチ部防振部材２７に吸収される。そして、コイルバネ２４およびヒッチ部防振部材２７によって吸収されなかった振動は、ヒッチ部発電部材２６に伝達され、ヒッチ部発電部材２６によって振動エネルギが電気エネルギに変換される。このようにして、ヒッチ部発電部材２６はロープ５の振動によって発電する。発電により得られた電力は、駆動用蓄電装置４１に蓄電される。
【００３７】
駆動用蓄電装置４１に蓄電された電力は、通常稼動時または停電時などに、制御装置４０を介して巻上機１０に供給され、巻上機１０の駆動に利用される。
【００３８】
また、かご本体３１に発生した振動は、図３および図４に示すように、かご防振部材３６に伝達されて、部分的にかご防振部材３６に吸収される。そして、かご防振部材３６によって吸収されなかった振動は、かご発電部材３５に伝達され、かご発電部材３５によって振動エネルギが電気エネルギに変換される。このようにして、かご発電部材３５はかご本体３１の振動によって発電する。発電により得られた電力は、かご本体３１に設けられた照明用蓄電装置４７に蓄電される。
【００３９】
照明用蓄電装置４７に蓄電された電力は、通常稼動時または停電時などに、かご本体３１内に設けられた照明装置４６に供給され、照明装置４６の駆動に利用される。
【００４０】
このように本実施の形態によれば、エレベータが稼働されている間、巻上機１０とマシンビーム１２との間に設けられた巻上機発電部材１３が、巻上機１０から発生して伝達される振動によって発電する。このため、巻上機１０から発生した振動エネルギを電気エネルギに変換して利用することができる。この結果、エネルギ損失を低減させて、省エネ効率を向上させることができる。とりわけ、本実施の形態によれば、巻上機１０と巻上機発電部材１３との間に巻上機防振部材１４が介在されている。このことにより、巻上機発電部材１３を、巻上機防振部材１４とマシンビーム１２とで挟み込むことができ、巻上機防振部材１４に伝達される振動を効率良く巻上機発電部材１３に伝達することができる。このため、巻上機１０にて発生した振動から効率良く発電することができる。
【００４１】
また、本実施の形態によれば、巻上機発電部材１３は、駆動用蓄電装置４１を介して巻上機１０に接続されている。このことにより、巻上機発電部材１３により発電された電力を、駆動用蓄電装置４１に蓄電し、巻上機１０に供給することができる。このため、巻上機１０にて発生した振動から得られた電力を、有効に利用することができる。
【００４２】
また、本実施の形態によれば、エレベータが稼働されている間、ヒッチ部２０の上部抑え板２１と下部抑え板２２との間に設けられたヒッチ部発電部材２６が、ロープ５から発生して伝達される振動によって発電する。このため、ロープ５から発生した振動エネルギを電気エネルギに変換して利用することができる。この結果、エネルギ損失を低減させて、省エネ効率を向上させることができる。とりわけ、本実施の形態によれば、上部抑え板２１とヒッチ部発電部材２６との間にヒッチ部防振部材２７が介在されている。このことにより、ヒッチ部発電部材２６を、ヒッチ部防振部材２７と下部抑え板２２とで挟み込むことができ、ヒッチ部防振部材２７に伝達される振動を効率良くヒッチ部発電部材２６に伝達することができる。このため、ロープ５にて発生した振動から効率良く発電することができる。
【００４３】
また、本実施の形態によれば、ヒッチ部発電部材２６は、駆動用蓄電装置４１を介して巻上機１０に接続されている。このことにより、ヒッチ部発電部材２６により発電された電力を、駆動用蓄電装置４１に蓄電し、巻上機１０に供給することができる。このため、ロープ５にて発生した振動から得られた電力を、有効に利用することができる。
【００４４】
また、本実施の形態によれば、エレベータが稼働されている間、かご３０のかご本体３１とかご床受け枠３２との間に設けられたかご発電部材３５が、かご本体３１から発生して伝達される振動によって発電する。このため、かご本体３１から発生した振動エネルギを電気エネルギに変換して利用することができる。この結果、エネルギ損失を低減させて、省エネ効率を向上させることができる。とりわけ、本実施の形態によれば、かご本体３１とかご発電部材３５との間にかご防振部材３６が介在されている。このことにより、かご発電部材３５を、かご防振部材３６とかご床受け枠３２とで挟み込むことができ、かご防振部材３６に伝達される振動を効率良くかご発電部材３５に伝達することができる。このため、かご本体３１にて発生した振動から効率良く発電することができる。
【００４５】
また、本実施の形態によれば、かご発電部材３５は、照明用蓄電装置４７を介して照明装置４６に接続されている。このことにより、かご発電部材３５により発電された電力を、照明用蓄電装置４７に蓄電し、照明装置４６に供給することができる。このため、かご本体３１にて発生した振動から得られた電力を、有効に利用することができる。
【００４６】
なお、本実施の形態においては、昇降路２の上方に機械室３が設けられて、巻上機１０およびヒッチ部２０が機械室床４上に設置されている例について説明した。しかしながら、このことに限られることはなく、昇降路２の上部に機械室３が設けられておらず、巻上機１０が昇降路２の内壁に設置されている場合にも本発明を適用することができる。この場合、昇降路２の内壁にマシンビーム１２が固定されて、このマシンビーム１２に、図２に示す形態と同様にして、巻上機発電部材１３を介して巻上機１０が取り付けられるようにすればよい。また、ヒッチ部２０は、昇降路２の内壁またはかご３０の昇降を案内するガイドレール（図示せず）に設置されていていてもよい。この場合であっても、ヒッチ部２０は、昇降路２の内壁またはガイドレールに、図２に示す形態と同様にして取り付けることができる。なお、駆動用蓄電装置４１、制御装置４０、配線ダクト４２は、昇降路２の内壁に固定させることができる。
【００４７】
また、本実施の形態においては、巻上機発電部材１３およびヒッチ部発電部材２６によって発電された電力は、駆動用蓄電装置４１に蓄電されて、巻上機１０に供給される例について説明したが、これに限らず、他の負荷に供給してもよい。同様に、かご発電部材３５によって発電された電力は、照明用蓄電装置４７に蓄電されて、照明装置４６に供給される例について説明したが、これに限らず、他の負荷に供給してもよい。
【００４８】
また、本実施の形態においては、巻上機１０と巻上機発電部材１３との間に巻上機防振部材１４が介在されている例について説明した。しかしながら、このことに限られることはなく、巻上機防振部材１４は、巻上機発電部材１３とマシンビーム１２との間に介在されていてもよい。さらには、巻上機１０とマシンビーム１２との間に巻上機防振部材１４が介在されていなくてもよい。同様に、ヒッチ部防振部材２７は、ヒッチ部発電部材２６と下部抑え板２２との間に介在されていてもよく、さらには、ヒッチ部防振部材２７が、上部抑え板２１と下部抑え板２２との間に介在されていなくてもよい。また、かご防振部材３６は、かご発電部材３５とかご床受け枠３２との間に介在されていてもよく、さらには、かご防振部材３６が、かご本体３１とかご床受け枠３２との間に介在されていなくてもよい。
【００４９】
以上、本発明の実施の形態について詳細に説明してきたが、本発明によるエレベータシステムは、上記実施の形態に何ら限定されるものではなく、本発明の趣旨を逸脱しない範囲において種々の変更が可能である。
【符号の説明】
【００５０】
１      エレベータシステム
２      昇降路
３      機械室
４      機械室床
５      ロープ
６      釣合おもり
７      おもり側シーブ
１０    巻上機
１１    トラクションシーブ
１２    マシンビーム
１３    巻上機発電部材
１４    巻上機防振部材
１５    シーブビーム
２０    ヒッチ部
２１    上部抑え板
２２    下部抑え板
２３    シャックルロッド
２４    コイルバネ
２５    ナット
２６    ヒッチ部発電部材
２７    ヒッチ部防振部材
３０    かご
３１    かご本体
３１ａ  かご床
３２    かご床受け枠
３３    かご縦枠
３４    かご側シーブ
３５    かご発電部材
３６    かご防振部材
４０    制御装置
４１    駆動用蓄電装置
４２    配線ダクト
４３    第１蓄電配線
４４    第２蓄電配線
４５    第１供給配線
４６    照明装置
４７    照明用蓄電装置
４８    第３蓄電配線
４９    第２供給配線
【図１】
2014001036.tif 000003
【図２】
2014001036.tif 000004
【図３】
2014001036.tif 000005
【図４】
2014001036.tif 000006